(57)【特許請求の範囲】
【請求項１】
１対の近接したコイン収容チューブの下方に位置し、その回転軸は実質的にコイン収容チューブの軸と平行であり電気モーターによって駆動されるローター、
所定のニュートラル位置からスタートして該ローターを１８０°回転させる電気モーターの制御装置、
ローター上に反対側に設けられ、遊び位置と排出位置の間でローターの軸に平行に移動可能に支持され、フォロワー手段を有する１対の排出部材、及び、
ローターの軸に関して同心的に設けられ、フォロワー手段と協動する固定のコントロール手段を有し、
ローターの第１のニュートラル位置からスタート動作をする第１の排出部材が、ローターがある方向に回転した時、該フォロワー手段により該固定のコントロール手段に案内されて排出位置内に移動し、第２のニュートラル位置からスタート動作をする第２の排出部材が、該フォロワー手段により該固定のコントロール手段に案内されて遊び位置内に移動することを特徴とする少なくとも１対のコインコイン収容チューブからコインを払出す装置。
【請求項２】
１対の近接したコイン収容チューブの下方に位置し、その回転軸は実質的にコイン収容チューブの軸と平行であり電気モーターによって駆動されるローター、
該電気モーターを制御する制御装置を有し、
該制御装置で制御された該電気モーターにより、該ローターが、所定のニュートラル位置からスタートして所定方向に１８０°回転し、更に同方向又は反対に１８０°回転し、
更に、ローター上に、遊び位置と排出位置の間で移動可能に設けられた排出部材、及び、
排出部材が、コイン収容チューブのコインを排出するための出口開口側のニュートラル位置にあるとき、制御装置によるローターの最初のどちらかの方向の１８０°の回転によって、遊び位置に向かって移動し、次の１８０°の回転で逆に排出位置に移動するよう、該排出部材と協動する固定のコントロール手段を有することを特徴とする少なくとも１対のコイン収容チューブからコインを払出す装置。
【請求項３】
ローターがディスク状に構成され、該ロータディスクに設けられた排出部材が該ローターディスクの空間内でその軸方向に移動可能に支持されるピンと、ピボットアームを介して該ピンの端部に固定されているカムフォロワーを有し、固定のコントロール手段が１対の同心的に設けられた異なった高さレベルの底部を有するコントロール溝を有し、更に、一方のニュートラル位置に移動手段を有しており、該移動手段は、カムフォロワーを、ロータディスクが１８０°回転した後、排出部材が再び移動するか、又は排出部材がニュートラル位置から出た時、回転の方向に従ってコントロール溝の一方に案内するものである請求項１又は２記載の少なくとも１対のコイン収容チューブからコインを払出す装置。
【請求項４】
移動手段は、コントロール溝の周囲方向に離れて存在するコントロール部を有しており、２つのニュートラル位置の該コントロール部の間に位置するカムフォロワーが、該コントロール溝に係合するため回転の方向によって、内側コントロール溝又は外側コントロール溝に移動するものである請求項３記載の少なくとも１対のコイン収容チューブからコインを払出す装置。
【請求項５】
内側コントロール溝の外部境界又は外側コントロール溝の内側境界が、ニュートラル位置に近接して、カムフォロワーのための通路を形成する弾性部を有し、それによってカムフォロワーが、回転の方向に従って自動的に内側コントロール溝又は外側コントロール溝に移動するものである請求項４記載の少なくとも１対のコイン収容チューブからコインを払出す装置。
【請求項６】
内側コントロール溝の外部境界又は外側コントロール溝の内側境界が、ニュートラル位置に近接して、カムフォロワーのための通路を形成する弾性部を有し、それによってカムフォロワーが、回転の方向に従って自動的に内側コントロール溝又は外側コントロール溝に移動するものである請求項３記載の少なくとも１対のコイン収容チューブからコインを払出す装置。
【請求項７】
排出部材が、ローター内で高さ調整可能に支持されスプリングで遊び位置又は排出位置に付勢されたリリースピンを有し、該リリースピンが固定のコントロール手段と協動するフランジを有するものである請求項１又は２記載の少なくとも１対のコイン収容チューブからコインを払出す装置。
【請求項８】
該固定のコントロール手段が、弾性を有し、ローター又は該リリースピンの第１のニュートラル位置の側に位置する弾性傾斜部を有し、該弾性傾斜部は、該リリースピンをフランジを介して、第２のニュートラル位置へ移動する時には遊び位置に移動させ、該リリースピンが第１のニュートラル位置に移動する時には該フランジによって一時的に変形するものである請求項７記載の少なくとも１対のコイン収容チューブからコインを払出す装置。
【請求項９】
該固定のコントロール手段が、リリースピンが１８０°回転した時の最後の位置に弾性傾斜部を有し、該弾性傾斜部は該リリースピンが排出位置に移動する時リリースピンのフランジにより変形され、リリースピンが逆方向に移動する時にフランジにより一時的に遊び位置に移動させるものである請求項７記載の少なくとも１対のコイン収容チューブからコインを払出す装置。
【請求項１０】
該排出部材が、ローター上でローターの軸と直角の軸の回りで回転可能に支持され、且つ遊び位置にある時ローターの凹部に収納され、該固定のコントロール手段が選択的に排出部材を排出位置又は遊び位置に移動させるものである請求項２記載の少なくとも１対のコイン収容チューブからコインを払出す装置。
【請求項１１】
コイントラックに向かう方向の、コイン収容チューブの下方の排出溝で、最下端のコインを排出させないロック位置と開放位置の間で移動できるよう、ロック部材がローターの軸に平行な方向に移動可能に支持され、且つ、ローターが回転すると排出部材によってコインが払い出されるコイン収容チューブの排出溝が開放するように、該ロック部材が、ローターと近接した位置に設けられたローターの軸と同心に設けられ、異なる高さレベルの底部を有するコントロールトラックと協動する請求項１乃至１０記載の少なくとも１対のコイン収容チューブからコインを払出す装置。
【請求項１２】
ロック部材がピンで構成されるものである請求項１１記載の少なくとも１対のコイン収容チューブからコインを払出す装置。
【請求項１３】
ローターがニュートラル位置にある時、両ロック部材がロック位置にあるものである請求項１１記載の少なくとも１対のコイン収容チューブからコインを払出す装置。
【発明の詳細な説明】
【０００１】
【産業上の利用分野】
本発明は、少なくとも１対のコイン収容チューブからコインを払い出す装置に関するものである。
【０００２】
【従来の技術】
コイン交換機を有するコイン操作装置では、交換コインとして戻すコインは、それぞれのコインに適した個々のコイン収容チューブに収容されている。支払い装置は支払い命令信号によってそのチューブの最下端に位置するコインを排出する。従来の装置は、戻り溝にコインを移送する適当な移送装置によって、最下端のコインを排出しているが、この機能のためには電磁気の又は電気のモーターを用いている。
【０００３】
ドイツ特許出願Ｐ３８１００７４は、１対の排出装置を駆動する電気モーターを有する払出ユニットと組み合わされた１対のコインチューブを開示しており、該排出装置が、フリーホイール（原動軸と自動的に切り離す装置）によって、コインと協動（接して移動）する。電気モーターの回転の方向に応答して、コインチューブと関連する排出装置の１つが移動する。このような装置では、電気モーターと排出装置との間のギア装置が非常に高価となり、且つコイン操作装置ではあまり取れない大きなスペースが必要となる。
【０００４】
ドイツ特許出願Ｐ４２１４３６６は、反対回転も可能な駆動モーターと連結された１対のコイン収容チューブを有する自動販売機を開示している。そのモーターによって、ギア装置を介して、個々のカムが、下方のコインがコイン収容チューブの外部溝を通って移動するように駆動される。カムが３６０°回転すると、第１のチューブからコインを排出するように、カムの回転運動が、回転方向によって制御される。単一の排出部材又は、各々のカムはバネでリリース位置（排出しない位置）に付勢され、排出位置に移動するように上昇するピンによって構成されている。
【０００５】
【発明が解決しようとする課題】
この公知の装置は、払出し操作には実質的に小さな角度の回転で十分であるにもかかわらず、電気モーターが、３６０°の角度でカムを回転するという排出操作が必要である。交換コインを戻す時、個々のコインはできるだけ早く戻すことが一般的には望ましい。
【０００６】
従って、本発明の目的は、１対のコイン収容チューブから、コインを素早く戻すコインを払い出す装置を提供することにある。
【０００７】
【課題を解決するための手段】
本発明は、請求項１の構成によって達成できる。本発明では、ローターは半径方向の反対に位置する高さを遊び位置と排出位置に調整できる１対の排出部材を有している。電気モーターは、電気モーターが駆動される時ローターが１８０°回転するよう制御装置によって操作される。従って、実質的に中心付近の、即ち、両方のコインチューブから同じ程度の距離を持った１対のニュートラル位置が存在する。ニュートラル位置で排出部材を停止位置に停止させるには、例えば、位置制御装置、又はニュートラル位置に来た時モーターをオフにする光電バリヤーその他の装置等従来のものでよい。
【０００８】
排出部材が１８０°回転する間、コイン収容チューブの下を通過する。そして、１つの排出部材のみコインを移動する排出操作を行ない、その時他の排出部材は、遊び位置に移動（通常下降）する。ニュートラル位置の１つから、ある方向に回転した時、第１の排出部材が排出位置に位置するか、又は排出位置に移動し、他のニュートラル位置にある第２の排出部材はその方向に回転した時遊び位置に移動するように、排出部材を操作する固定的なコントロール手段を有している。
【０００９】
本発明による装置は、従来のコイン交換機と比較して構造自体が安価であり、スペースは少なく、制御操作が簡単であって、作動が従来のものより速い。
【００１０】
クレーム２に規定された本発明の他の構成では、必要な位置に位置するように制御装置によって制御されるローター、及びそのローターによって支持され、遊び位置と排出位置との間で移動可能な単一の排出部材を有している。ローターを駆動する電気モーターは、それが最初１８０°回転し、次に逆に１８０°回転するという振動するように操作することができる。排出部材のニュートラル位置が、コイン収容チューブのコインを排出するための出側開口が位置している側に位置している時、排出部材は最初、遊び位置においてそれぞれのチューブの下方を通過し、反対回転した時に実質的にコインを移動させる。同様のことが、１対のチューブの２番目にも適用される。
【００１１】
本発明のさらに他の実施例では、ローターはディスクで構成され、排出部材はそのディスクのボア（空間）内で支持されているピンを有し、フォロワー手段（壁面や底面等の凹凸に沿ってその形状通りに移動するもの）がピボットアームを介してそのピンの端部に固定されている。フォロワー手段は、固定的に同心的に設けられ、異なったレベルで設けられている底部を持った環状のコントロール溝に沿って移動する。そして、排出部材がニュートラル位置から移動する時、フォロワー手段を一方のコントロール溝内に案内するように、ニュートラル位置に移動手段が設けられている。ピボットアームは、フォロワー手段を回転させ、それぞれの他のコントロール溝に入るため設けられている。本発明の更に他の実施例では、内部コントロール溝の外側境界、又は外部コントロール溝の内部境界は、フォロワー手段の通路を規定するため、コントロール部に近接した位置に弾性部材（板バネのような）を有している。それによって、フォロワー手段が自動的に、回転の方向と協動するコントロール溝に向かって移動する。従って、フォロワー手段は、回転方向が反対の時、間違ったコントロール溝に入ることを防止する。
【００１２】
排出部材は、コイン収容チューブからその最下端のコインをコイントラックに押し出す。コイントラックからは戻りチャンネルに送られる。そのコイン収容チューブの壁面は、コインを排出するようコイントラックに向かって案内する凹部を有している。本発明では、チューブの排出凹部の下でロックピンがローターの回転軸に平行に移動できるよう支持されている。そして、そのピンはコインの排出を防止するロック位置と開放位置の間を移動する。ロック部材は、それと面しているローターの一方のコントロール溝と協動するフォロワー手段を有していてもよい。
【００１３】
本発明の他の実施例では、排出部材が、高さ調整でき、ローター内で支持されている排出ピンによって構成されている。そのピンは、スプリングによって遊び位置又は排出位置に付勢されており、固定的なコントロール手段と協動するフランジを有している。また、排出部材がこのように構成されていると、ローターが１８０°回転する時、ピンを遊び位置又は排出位置に移動するため適当なコントロール手段をとる必要がある。本発明の実施例では、コントロール手段は、弾性を有し、第１のニュートラル位置の一方側に設けられた傾斜部を有するものである。その弾性部は、ニュートラル位置から出た時、フランジ部を介してピンを、遊び位置に移動させ、且つその弾性部材は、ピンがニュートラル位置に移動した時、一時的にフランジによって変形する。
【００１４】
更に、排出部材は、ローターの凹部内に収納された（遊び位置）ローターの軸と直角の軸に回転可能に支持されたものでもよい。その直角の軸の回りの回転により傾けることができる排出部材は、ニュートラル位置か排出位置に向かって、スプリングによって付勢されている。その排出部材は、適当なコントロールトラック又は類似の構造によって傾けることができる。更に、それは、ロックをリリース（解除）する時、排出部材が自動的に他の位置に向かって傾くように、そのロック位置に付勢してもよい。そして、コントロール手段は１８０°回転の最後部分にのみ設けられていてもよい。即ち、コントロール手段は、排出方向の反対方向でコイン収容チューブの下を通過する時、邪魔にならないようなものであればどのようなものでもよいということである。それにより、排出部材が移動し、反対方向からコインを排出することを防止するのである。
【００１５】
排出部材は、コイントラックに向かってコイン収容チューブから最下端のコインを押し出す。コイントラックからは、戻りチャンネルに送られる。コイン収容チューブの壁面は、コインの出口を確保するため、コイントラックの方向に凹部又は段部が設けられている。
【００１６】
【実施例】
図１は、コイン貯蔵及び払出しチューブ１２、１４の下端部を支持する手段を有するベースプレート１０を示している。図２は、このコイン収容チューブ１２、１４の断面図である。コイン収容チューブ１２、１４の軸と平行に延びている軸１８の回りに電気モーター（図示せず）によって回転駆動されるローター１６は、１対のリリースピン（排出ピン）２０、２２を有している。そのリリースピン２０、２２がローター１６と一緒に回転すると、それらは明らかに両方のコイン収容チューブ１２、１４の中心を通っている環状通路に沿って移動する。そのコイン収容チューブ１２、１４のエリア内で、ベースプレート１０は、リリースピン２０、２２が突出した時、リリースピン２０、２２が最下端のコインをコイン収容チューブ１２、１４の１つから排出させることができるような円弧状の溝２４、２６を有している。
【００１７】
図に示す通り、リリースピン２０、２２はそれぞれニュートラル又はスタート位置に位置する。リリースピン２２が最初のニュートラル位置に位置し、次いでリリースピン２２が第２のニュートラル位置に位置する。制御ユニット（図示せず）は、１８０°回転した時、各ピン２０、２１がそれぞれ次のニュートラル位置で停止するように、電気モーター（図示せず）を制御する。
【００１８】
図２から、リリースピン２０、２２は、排出部材２８、３０、回転フランジ３２、３４、またローターディスク１６の軸方向の環状フランジ４４の空間４０、４２内でガイドするガイド部材３６、３８を有している。スプリング４６、４８は、図２に示されているようにリリースピン２０、２２が排出位置に向かって付勢されるように空間４０、４２と回転フランジ３２、３４の間の環状フランジ４４の適当な位置に設けられている。そのローターディスク１６が回転して図２の右方向に移動する時、例えば、排出部材２８が溝５０を通ってコイン収容チューブ１２に入り、コイン収容チューブ１２に集積されたコインの束５２の最下端のコインと接当し、排出溝５４を通って、戻りチャンバー５６（図１）に向かって外方向に最下端のコインを移動させる。コインはその戻りチャンバー５６から戻しチャンネルに導入される。
【００１９】
図２は、更にリリースピン２０に近接した側に傾斜した弾性傾斜部６２を有するリリースピン２０、２２間に位置するガイド部材６０を示している。ローターディスク１６が回転して上記の環状通路が使用されている時、ローターディスク１６と係合してガイド部材６０上で移動する回転フランジ３２は、弾性傾斜部６２の位置に入る。該弾性傾斜部６２は点線で示すように下方に、図２のリリースピン２０の位置に届くまで移動する。固定的に設けられ、ガイド部材６０とほとんど同一のガイド部材が、リリースピン２０、２２が次にそれに沿って１８０°回転するトラック上に設けられている。
【００２０】
換言すると、ローターディスク１６の回転方向とは無関係に、図１の位置に存在するリリースピン２０は、ガイド部材６０の弾性傾斜部６２によって回転フランジ３４が押し下げられ、リリースピン２０が図１の２２で示される反対側のニュートラル位置に達するまで、弾性傾斜部６２の下方に入り、ガイド部材６０の下方に維持されることによって、遊びの位置に移動する。ガイド部材６０は回転フランジ３２、３４と協動する、即ち、回転フランジの一方側の下方に延びるか、又はガイド部材３６又は３８が通る中間の溝を有する枝分かれ構造をしている。
【００２１】
図３及び図４は、リリースピン２２の排出位置又は遊びの位置を示す。図３では、回転フランジ３２はガイド部材６０の上方に位置し、図４においてはガイド部材６０の下方に位置している。ガイド部材６０は、ベースプレート１０の立ち上がり部から延びているバー状突起によって構成されている。
【００２２】
図１の右側のコイン収容チューブ１４からコインを戻りチャンバー５６に案内するため、横方向に延びている円弧状のコインガイド手段６２ａが設けられている。
【００２３】
図５は、ベースプレート１０ａ上に設けられた１対のコイン収容チューブ１２ａ、１４ａ及び１２ｂ、１４ｂを示している。外部コイン収容チューブ１２ａ、１４ｂと協動してコインを戻りチャンバー５６ａに押し出すため、１対の円弧状のコインガイド手段６２ａと６２ｂが設けられている。コイン返還装置は、１対のコイン収容チューブは、図１〜図４に示された装置と同一のものである。図５は、コイン６４が、どのようにしてリリースピンによって、戻りチャンバー５６ａに導入するため、右側の外部コイン収容チューブ１４ｂから排出されるかを示している。
【００２４】
図６は、上記の排出装置の他の例を示す。コイン収容チューブ７０、７２はベースプレート７４上に設けられている。１対のリリースピン７８、８０は、ローターディスク７６上で支持されている。ベアリング（軸受部）は、図７に詳細に示す。リリースピン７８は、長手方向（ローターディスク７６と直角方向）に移動するように、ローターディスク７６の空間内に支持されている。ボア８２の下方に、リリースピン７８のフランジ８４と適合する空間が存在し、遊びの位置で下方向にリリースピン７８を付勢するためスプリング８６がフランジ８４とボア８２の上部ショルダー間に設けられている。リリースピン７８の下端部には、カムフォロワー９０を偏心して駆動するピボットアーム８８が設けられている。そのカムフォロワー９０は、選択的に同心的に設けられたコントロール溝９２、９４と協動する。コントロール溝９２、９４は、弾性を有する、外方向へ、又は内方向へ延びている弾性部１００、１０２及び１０４、１０６をその端部に有する円弧状部材９６、９８によって互いに分離されている。リリースピン８０によって占められている位置において、弾性部１０２、１０６は、カムフォロワー９０が、ローターディスク７６の回転の方向に関係なく、外側コントロール溝９２に向かって移動するように、内方向に延びている。これとは逆に、リリースピン７８のカムフォロワー９０は、図６に示す位置から、回転の方向とは無関係に放射状に内側のコントロール溝９４にずらされる。弾性部１００〜１０６は、弾性変形可能なため、カムフォロワー９０がニュートラル位置に届くことを可能にする。
【００２５】
コントロール溝９２、９４は、異なったレベルに配置されている。図示されたニュートラル位置では、リリースピン７８、８０のレベルは、そのリリースピン７８、８０が図７に示すように、排出位置にくるように選択される。リリースピン７８がどちらかの回転の方向に移動した時、それは傾斜状部材１０８又は１１０に沿って、コイン収容チューブ７０、７２に届く前は下降し、図６のリリースピン８０の位置に届く時、傾斜状部材１１２、１１４に沿って上昇する。しかし、外側コントロール溝９２は、連続的なレベルを有している。それは、ローターディスク７６の回転の方向と無関係に、コインはそれぞれのコイン収容チューブ７０又は７２から排出されるように、リリースピン７８が常に排出位置にあることを意味する。コインは、コイン収容チューブから、異なった径のコインを送るための１１８と１２０で示す階段状の側壁を有するコイントラック１１６に向かって移動する。コインがコイントラック１１６に沿って、戻りスペースに向かって移動する時、コイントラック１１６の底部と係合する位置にコインを維持するため、図７に示すスプリング部材１２２が設けられている。
【００２６】
ローターディスク７６のベアリングは図７には詳細には示していない。これは、図からも観察でき、他の方法でも可能である。
【００２７】
図８のイラストは、図１に示すものと実質的には同じであり、参照番号は同じものを用いている。更に、その装置のベースプレート１０は、高さが変えられるように支持された１対のロックピン１３０、１３２を有している。そのロックピン１３０、１３２は、スプリング手段（図示せず）によって下方位置に付勢されている。上方位置を占めている時、ロックピン１３０、１３２は、コイン収容チューブ１２、１４の排出溝５４をブロックしている（図２参照、しかしロックピンは図示せず）。ロックピン１３０、１３２は、最下端のコインが不注意にコイン収容チューブから出ることを防止する。
【００２８】
ロックピン１３０、１３２は、図９に示すようにローターディスク２６の外部コントロールトラック１３４及び内部コントロールトラック１３６によって駆動される。図示した通り、環状コントロールトラック１３４、１３６は、１対の反対側に存在するコントロールセクション１３８、１４０及び１４２、１４４を有している。これらのコントロールセクションがロックピン１３０、１３２の範囲内に位置する時、ロックピンはロック位置内で上昇する。しかし、コントロールトラック１３４、１３６の残りのセクションでは、ロックピンは下降し、そしてロック機能を果たさないように、低いレベルとなっている。レベルは±０と−２で示している。
【００２９】
上記のことから、コイン返還プロセスにおいて、両方のコイン収容チューブ１２、１４のロックピン１３０、１３２はリリース位置（突出していない）にあるということとなる。実質的には、ロックピンは、リリースピン２０、２２がそのニュートラル位置にある時のみ、ロック位置に存在する。図１０で示す限り、図６と同じ部品には、添字は付けているが同じ参照番号を用いている。ベースプレート１０ｃは、コイン貯蔵及びコイン収容チューブ１２ｃの下端部を支持する。ローターディスク１６ｃは、電気モーター（図示せず）によって、コイン収容チューブ１２ｃ、１４ｃの軸と平行な軸１８ｃの回りで回転するよう、ベースプレート１０ｃで支持されている。図面では透明のように記載されているローターディスク１６ｃは、単一のリリースピン７８ｃを移動する。リリースピン７８ｃの配置は、図７、図３、図４に示されたものと類似のものである。よってここでは詳細には説明しない。カムフォロワー９０ｃ（図７、図１０）は、選択的に、ベースプレート１０ｃに位置し、同心状に設けられたコントロール溝９２ｃ、９４ｃと協動する。そのコントロール溝９２ｃ、９４ｃは、図１０に示すリリースピン７８ｃのニュートラル位置で実質的に１８０°の位置に設けられているストッパー１９ｃまで延びている。コントロール溝９４ｃは内部セクションを構成し、コントロール溝９２ｃは外部セクションを構成する。コントロール溝９２ｃ、９４ｃは、弾力を持った、外部又は内部に延びている弾性部１００ｃ、１０２ｃ、１０４ｃ、１０６ｃをその端部に有する円弧状部材９６ｃ、９８ｃによって互いに分離されている。リリースピン７８ｃのニュートラル位置の一方側に、カムフォロワー９０が外側に移動し、低いレベル上（−２）で傾斜状部材１０１c を介して下降するように、弾性部１００ｃ、１０４ｃは内部に延びている。この方向で、リリースピン７８ｃは、コイン収容チューブ１２ｃ又は１４ｃの下を通過できるように下降する。回転運動の端部に向かって、リリースピン７８ｃは、スタートレベル（±０）に再び戻る。カムフォロワー９０c は、ニュートラル位置に向かって反対回転する時、弾性部１０２ｃ又は１０６ｃに沿い内側コントロール溝９４ｃに向かって移動する。従って、リリースピン７８ｃは、最下端のコインをそれぞれのコイン収容チューブ１２ｃ、１４ｃから排出するため、異なった径のコインをガイド用の図７に示す階段状の側壁１１８と１２０を持ったコイントラック１１６ｃに導入する。トラック１１６ｃに沿って戻り空間（図示せず）に向かって導入された時、トラック１１６ｃの底部との係合を維持するため、図７に示すスプリング部材１２２が設けられている。
【００３０】
この実施例のローターディスク１６ｃは、図３及び図４に示すローターでもよい。
【００３１】
図１１は、図１０に示すリリースピン７８ｃが、ローターディスク１６ｄの回転軸に直角である軸１５２の周囲で回転可能に支持されたリリースピン１５０に替えられているローターディスク１６ｄの一部を示す。リリースピン１５０は、ローターディスク１６d の凹部１５４内で回転可能であり、ローターディスク１６d の表面の下方に位置する。この位置では、ローターディスク１６ｄは、コイン収容チューブの下方を通過できる。好ましくは、リリースピン１５０は、凹部１５４のショルダーに係合するスプリング（図示せず）によって、排出位置に付勢する。
【００３２】
ローターディスク１６ｄが矢印１５６の方向に移動すると、リリースピン１５０はチューブ内で最下端のコインを打撃する。しかし、コインはコイン収容チューブの反対方向から排出されるので排出プロセスには影響はない。リリースピン１５０がコイン収容チューブを通った後、ローターディスク１６ｄが反対方向に回転した時、コインが排出されるように、リリースピン１５０は自動的に、排出位置に戻る。
【００３３】
図１２は、図１と類似の装置の平面図を示す。その装置は、図４及び図５に示すピン２０と類似に構成されたリリースピン２０ｅを有している。同じ部分は同じ参照番号を使用している。ベースプレート１０ｅは、高さが変えられるように支持された１対のロックピン１３０e １３２e を有している。それらは、スプリング（図示せず）によって、低い位置になるように付勢されている。上の位置でのロックピン１３０e 、１３２e によって、それらはコイン収容チューブ１２ｅ、１４ｅのコイン出口である排出溝５４ｅをブロックする（図２に示すように。但し、図２は、ロックピンは示していない）。ロックピン１３０ｅ、１３２ｅは、最下端のコインがそれぞれのコイン収容チューブ１２ｅ、１４ｅから不注意に押出されることを防止する。
【００３４】
ロックピン１３０ｅ、１３２ｅは、図１３に示すようにローターディスク１６ｅの外部コントロールトラック１３４ｅと内部コントロールトラック１３６ｅによって駆動される。図面は、それぞれ１対の反対側に存在するコントロールセクション１３８ｅ、１４０ｅ及び１４２ｅ、１４４ｅを有する環状コントロールトラック１３４ｅ、１３６ｅを示している。コントロールセクションがロックピン１３０ｅ、１３２ｅの範囲に位置すると、ロックピンは、ロック位置に上昇する。これと反対に、コントロールトラック１３４ｅ、１３８ｅの残りのセクションは、ロック機能を果たさないようにロックピン１３０ｅ、１３２ｅが低い位置になるように下降する。レベルとして、±０と−２で示している。
【００３５】
上記のことから、両方のコイン収容チューブ１２e 、１４e のロックピン１３０e 、１３２e は、払出し作動中開放位置に存在することとなる。ロックピンは実質的に、リリースピン２０e がニュートラル位置にある時のみ、ロック位置に位置するということである。
【図面の簡単な説明】
【図１】  本発明の実施例の一部断面した平面図である。
【図２】  図１の２つのリリースピンを通る線で切断した断面図である。
【図３】  本発明のコイン排出位置でのリリースピンの断面図である。
【図４】  遊び位置でのリリースピンの断面図である。
【図５】  本発明の実施例の１対のコイン収容チューブの一部断面した平面図である。
【図６】  本発明の実施例の１対のコイン収容チューブの一部断面した平面図である。
【図７】  図６の７−７線で断面した断面図である。
【図８】  ロックピンを有する例の図１と同様の図である。
【図９】  図８に示すローターディスクの平面図である。
【図１０】  本発明の実施例の平面図である。
【図１１】  リリースピンの他の例を示す断面図である。
【図１２】  １対のロックピンを有する図１０と同様の図である。
【図１３】  図９と同様の図である。
【符号の説明】
１０  ベースプレート
１２  コイン収容チューブ
１４  コイン収容チューブ
１６  ローターディスク
２０  リリースピン
２２  リリースピン
３２  回転フランジ
３４  回転フランジ
５２  コインの束
５４  排出溝
５６  戻りチャンバー
６０  ガイド部材
６２  弾性傾斜部
８２  ボア
８８  ピボットアーム
９０  カムフォロワー
９２  コントロール溝
９４  コントロール溝
１００  弾性部
１０２  弾性部
１０４  弾性部
１０６  弾性部
１０８  傾斜状部材
１１０  傾斜状部材
１１２  傾斜状部材
１１４  傾斜状部材
１１６  コイントラック
１３０  ロックピン
１３２  ロックピン
１３４  外部コントロールトラック
１３６  内部コントロールトラック
１３８  コントロールセクション
１４０  コントロールセクション
１４２  コントロールセクション
１４４  コントロールセクション
１５０  リリースピン
１５４  凹部
【図１】
0003834762.tif 000002
【図２】
0003834762.tif 000003
【図３】
0003834762.tif 000004
【図４】
0003834762.tif 000005
【図５】
0003834762.tif 000006
【図６】
0003834762.tif 000007
【図７】
0003834762.tif 000008
【図８】
0003834762.tif 000009
【図９】
0003834762.tif 000010
【図１０】
0003834762.tif 000011
【図１１】
0003834762.tif 000012
【図１２】
0003834762.tif 000013
【図１３】
0003834762.tif 000014